(57)【特許請求の範囲】
【請求項１】
基台上に主幹ブレーカと複数の分岐ブレーカを載置固定し、前記主幹ブレーカと前記複数の分岐ブレーカとの間を母線バーと分岐バーと接続端子と接続板から成る導電バーによって接続し、これらのブレーカを施蓋し、前記母線バーは中性相母線バーを上段とし、Ｘ相母線バー及びＹ相母線バーを下段に並設し、前記分岐ブレーカの一方の接続穴に分岐バーを嵌入螺着し、前記分岐ブレーカの他方の接続穴には前記接続端子の一端を嵌入螺着し、該接続端子の他端には螺孔を設け、前記接続板の両端を互いに反対方向へ直角に折曲して上板及び下板を形成し、該上板及び該下板には螺孔を設け、前記接続端子を位置決め用の接続端子保持部に載置して前記接続板の下板の螺孔と前記接続端子の螺孔を一致させた状態で第１止めネジによって螺着し、前記上段の母線バーには第１切欠を備え、前記下段の母線バーには該母線バーから分岐し立設した分岐バーを設け、前記上段の母線バーと略同一の高さに第２切欠を備え、前記接続板の上板を前記第１止めネジを軸として回動させることにより、前記第１切欠又は第２切欠に交互に嵌入可能とし、切欠に前記接続板の上板の螺孔を一致させた状態で第２止めネジにより螺着固定される住宅用分電盤において一次送りするための一次送り具であって、前記分岐ブレーカの端子面と略面一に形成された上面と、前記接続端子保持部より上方に形成された下面とを有する絶縁体で形成された本体と、該本体に取り付けられるとともに一端に前記分岐ブレーカの接続穴に嵌入螺着する挿入部と、他端に前記主幹ブレーカの一次側端子部に接続された一次送り線を接続するための電線接続部とを設けた一対の導体とで形成したことを特徴とする住宅用分電盤の一次送り具。
【請求項２】
前記住宅用分電盤の一次送り具において、前記本体に前記中性相母線バーを狭持するための断面略コ字状の狭持溝を形成したことを特徴とする請求項１に記載の住宅用分電盤の一次送り具。
【発明の詳細な説明】
【０００１】
【産業上の利用分野】
本発明は、住宅用分電盤の主幹ブレーカの一次側端子から電源を送る構造に関する。
【０００２】
【従来の技術】
従来、図１１〜図１４に示すように住宅用分電盤８１は、基台８２上に主幹ブレーカ８３と複数の分岐ブレーカ８４を載置固定し、主幹ブレーカ８３と複数の分岐ブレーカ８４との間を母線バー８５，８６，８７と分岐バー８８，８９と接続端子９０と接続板９１から成る導電バーによって接続し、これらのブレーカを施蓋し、母線バーは中性相母線バー８６を上段とし、Ｘ相母線バー８５及びＹ相母線バー８７を下段に並設し、分岐ブレーカ８４の一方の接続穴９２に分岐バー８８を嵌入螺着し、分岐ブレーカ８４の他方の接続穴９２には接続端子９０の一端を嵌入螺着し、接続端子９０の他端には螺孔９３を設け、接続板９１の両端を互いに反対方向へ直角に折曲して上板９４及び下板９５を形成し、上板９４に螺孔９６ａと下板９５には螺孔９６ｂを設け、接続端子９０を位置決め用の接続端子保持部９７に載置して接続板９１の下板９５の螺孔９６ｂと接続端子９０の螺孔９３を一致させた状態で第１止めネジ９８ａによって螺着し、上段の母線バー８６には第１切欠９９を備え、下段の母線バー８７には母線バー８７から分岐し立設した分岐バー８９を設け、上段の母線バー８６と略同一の高さに第２切欠１００を備え、接続板９１の上板９４を第１止めネジ９８ａを軸として回動させることにより、第１切欠９９又は第２切欠１００に交互に嵌入可能とし、切欠に接続板９１の上板９４の螺孔９６ａを一致させた状態で第２止めネジ９８ｂにより螺着固定されていた。この住宅用分電盤８１において一次送りするには、分岐ブレーカ８４の接続穴９２に一次送り線１０１を接続するため、分岐ブレーカ８４の接続穴９２の前方にスペースを確保する必要がある。そのため、図１２に示すように分岐ブレーカ８４の一方の接続穴９２に嵌入螺着される接続端子９０及び接続板９１を取り外し、他方の接続穴に嵌入螺着される分岐バー８８及び第２切欠１００を有する分岐バー８９は根元で切断する。また、図１３に示すように接続端子９０と接続板９１が取り付けられていた接続端子保持部９７を根元で切断する。そして、主幹ブレーカ８３の一次側端子部１０２に接続された一次送り線１０１を分岐ブレーカ８４の接続穴９２に嵌入螺着していた。
【０００３】
【発明が解決しようとする課題】
しかしながら、接続端子保持部の切断は非常に面倒で手間がかかり、仕上げ加工も必要であり、また、専門の技術が必要なために熟練者以外の者が作業を行うのは困難であった。
【０００４】
【課題を解決するための手段】
上記従来の住宅用分電盤の問題点に鑑み、本発明の目的は、特別な技術を必要とすることなく誰にでも容易に通常の分岐回路を一次送り回路に変更することができる住宅用分電盤の一次送り具を提供するもので、その構造は、基台上に主幹ブレーカと複数の分岐ブレーカを載置固定し、主幹ブレーカと複数の分岐ブレーカとの間を母線バーと分岐バーと接続端子と接続板から成る導電バーによって接続し、これらのブレーカを施蓋し、母線バーは中性相母線バーを上段とし、Ｘ相母線バー及びＹ相母線バーを下段に並設し、分岐ブレーカの一方の接続穴に分岐バーを嵌入螺着し、分岐ブレーカの他方の接続穴には接続端子の一端を嵌入螺着し、接続端子の他端には螺孔を設け、接続板の両端を互いに反対方向へ直角に折曲して上板及び下板を形成し、上板及び下板には螺孔を設け、接続端子を位置決め用の接続端子保持部に載置して接続板の下板の螺孔と接続端子の螺孔を一致させた状態で第１止めネジによって螺着し、上段の母線バーには第１切欠を備え、下段の母線バーには母線バーから分岐し立設した分岐バーを設け、上段の母線バーと略同一の高さに第２切欠を備え、接続板の上板を第１止めネジを軸として回動させることにより、第１切欠又は第２切欠に交互に嵌入可能とし、切欠に接続板の上板の螺孔を一致させた状態で第２止めネジにより螺着固定される住宅用分電盤において一次送りするための一次送り具であって、分岐ブレーカの端子面と略面一に形成された上面と、接続端子保持部より上方に形成された下面とを有する絶縁体で形成された本体と、本体に取り付けられるとともに一端に分岐ブレーカの接続穴に嵌入螺着する挿入部と、他端に主幹ブレーカの一次側端子部に接続された一次送り線を接続するための電線接続部とを設けた一対の導体とで形成したことである。
【０００５】
また、住宅用分電盤の一次送り具において、本体に中性相母線バーを狭持するための断面略コ字状の狭持溝を形成したことである。
【０００６】
【発明の実施の形態】
請求項１に記載の住宅用分電盤の一次送り具によれば、分岐ブレーカの端子面と略面一に形成された上面と、接続端子保持部より上方に形成された下面とを有する絶縁体で形成された本体と、本体に取り付けられるとともに一端に分岐ブレーカの接続穴に嵌入螺着する挿入部と、他端に主幹ブレーカの一次側端子部に接続された一次送り線を接続するための電線接続部とを設けた一対の導体とで形成したことにより、特別な技術を必要とすることなく誰にでも容易に通常の分岐回路を一次送り回路に変更することができる。
【０００７】
請求項２に記載の住宅用分電盤の一次送り具によれば、本体に中性相母線バーを狭持するための断面略コ字状の狭持溝を形成したことにより、一次送り線の接続部と中性相母線バーとの接触を確実に防止するとともに、一次送り具を中性相母線バーに固定することができる。
【０００８】
【実施例】
本発明に係る住宅用分電盤の一次送り具の構造の第一実施例を図１〜図５の添付図面に基づいて説明する。
【０００９】
住宅用分電盤１は、基台２上に主幹ブレーカ３と複数の分岐ブレーカ４を載置固定し、主幹ブレーカ３と複数の分岐ブレーカ４との間を母線バー５，６，７と分岐バー８，９と接続端子１０と接続板１１から成る導電バーによって接続し、これらのブレーカを施蓋し、母線バーは中性相母線バー６を上段とし、Ｘ相母線バー５及びＹ相母線バー７を下段に並設し、分岐ブレーカ４の一方の接続穴１２に分岐バー８を嵌入螺着し、分岐ブレーカ４の他方の接続穴１２には接続端子１０の一端を嵌入螺着し、接続端子１０の他端には螺孔１３を設け、接続板１１の両端を互いに反対方向へ直角に折曲して上板１４及び下板１５を形成し、上板１４に螺孔１６ａと下板１５に螺孔１６ｂを設け、接続端子１０を位置決め用の接続端子保持部１７に載置して接続板１１の下板１５の螺孔１６ｂと接続端子１０の螺孔１３を一致させた状態で第１止めネジ１８ａによって螺着し、上段の母線バー６には第１切欠１９を備え、下段の母線バー７には母線バー７から分岐し立設した分岐バー９を設け、上段の母線バー６と略同一の高さに第２切欠２０を備え、接続板１１の上板１４を第１止めネジ１８ａを軸として回動させることにより、第１切欠１９又は第２切欠２０に交互に嵌入可能とし、切欠に接続板１１の上板１４の螺孔１６ａを一致させた状態で第２止めネジ１８ｂにより螺着固定されている。
【００１０】
一次送り具２１は、絶縁体で形成された本体２２と、本体２２に取り付けられる一対の導体２３，２３で形成され、本体２２は分岐ブレーカ４の端子面２４と略面一に形成された上面２５と、接続端子保持部１７より上方に形成された下面２６とを有して形成され、導体２３は一端に分岐ブレーカ４の接続穴１２に嵌入螺着する挿入部２７を形成し、接続穴１２から突出した導体２３は分岐ブレーカ４のカバーに沿って上方に向けて折曲され、更に本体２２の上面２５に沿って折曲して他端の近傍に主幹ブレーカ３の一次側端子部２８に接続された一次送り線２９を接続するための螺子部３０を設けている。
【００１１】
分岐回路を一次送り回路に変更するには、まず分岐ブレーカ４を基台２から取り外す。次に分岐ブレーカ４の一方の接続穴１２に嵌入螺着されていた接続端子１０及び接続板１１を取り外して、他方の接続穴１２に嵌入螺着されていた分岐バー８は根元で切断する。そして、分岐ブレーカ４の接続穴１２に一次送り具２１の挿入部２７を嵌入螺着して一次送り具２１を分岐ブレーカ４に取り付ける。
【００１２】
一次送り具２１が取り付けられた分岐ブレーカ４を基台２の元の位置に取り付け、主幹ブレーカ３の一次側端子部２８に一次送り線２９の一端を接続し、他端を一次送り具２１の螺子部３０に接続する。
【００１３】
尚、図１では一次送り具２１を右端の分岐ブレーカ４に取り付けて一次送り回路を形成しているが、一次送り具２１はどの位置の分岐ブレーカ４にも取り付けが可能である。
【００１４】
また、本実施例において例えば、図５に示すように一次送り具２１’と一次送り線２９’の接続方法は、本体２２’に電線差し込み穴３０’を形成して電線の差し込み式による接続や半田付けによる接続や他の接続方法でも何ら問題なく、本発明の趣旨を逸脱しない範囲で適宜変更可能である。
【００１５】
本発明に係る住宅用分電盤の一次送り具の構造の第二実施例を図６〜図１０の添付図面に基づいて説明する。
【００１６】
住宅用分電盤４１は、基台４２上に主幹ブレーカ４３と複数の分岐ブレーカ４４を載置固定し、主幹ブレーカ４３と複数の分岐ブレーカ４４との間を母線バー４５，４６，４７と分岐バー４８，４９と接続端子５０と接続板５１から成る導電バーによって接続し、これらのブレーカを施蓋し、母線バーは中性相母線バー４６を上段とし、Ｘ相母線バー４５及びＹ相母線バー４７を下段に並設し、分岐ブレーカ４４の一方の接続穴５２に分岐バー４８を嵌入螺着し、分岐ブレーカ４４の他方の接続穴５２には接続端子５０の一端を嵌入螺着し、接続端子５０の他端には螺孔５３を設け、接続板５１の両端を互いに反対方向へ直角に折曲して上板５４及び下板５５を形成し、上板５４に螺孔５６ａと下板５５に螺孔５６ｂを設け、接続端子５０を位置決め用の接続端子保持部５７に載置して接続板５１の下板５５の螺孔５５ｂと接続端子５０の螺孔５３を一致させた状態で第１止めネジ５８ａによって螺着し、上段の母線バー４６には第１切欠５９を備え、下段の母線バー４７には母線バー４７から分岐し立設した分岐バー４９を設け、上段の母線バー４６と略同一の高さに第２切欠６０を備え、接続板５１の上板５４を第１止めネジ５８ａを軸として回動させることにより、第１切欠５９又は第２切欠６０に交互に嵌入可能とし、切欠に接続板５１の上板５４の螺孔５６ａを一致させた状態で第２止めネジ５８ｂにより螺着固定されている。
【００１７】
一次送り具６１は、絶縁体で形成された本体６２と、本体６２に取り付けられる一対の導体６３，６３で形成され、本体６２は分岐ブレーカ４４の端子面６４と略面一に形成された上面６５と、接続端子保持部５７より上方に形成された下面６６とを有して形成され、本体６２の側面に中性相母線バー４６を狭持するための断面略コ字状の狭持溝６７を形成している。導体６３は一端に分岐ブレーカ４４の接続穴５２に嵌入螺着する挿入部６８を形成し、接続穴５２から突出した導体６３は分岐ブレーカ４４のカバーに沿って上方に向けて折曲され、更に本体６２の上面６５に沿って折曲して他端の近傍に主幹ブレーカ４３の一次側端子部６９に接続された一次送り線７０を接続するための螺子部７１を設けている。
【００１８】
分岐回路を一次送り回路に変更するには、まず分岐ブレーカ４４を基台４２から取り外す。次に分岐ブレーカ４４の一方の接続穴５２に嵌入螺着されていた接続端子５０及び接続板５１を取り外して、他方の接続穴５２に嵌入螺着されていた分岐バー４８は根元で切断する。そして、分岐ブレーカ４４の接続穴５２に一次送り具６１の挿入部６８を嵌入螺着して一次送り具６１を分岐ブレーカ４４に取り付ける。
【００１９】
一次送り具６１の狭持溝６７で中性相母線バー４６に狭持するように一次送り具６１が取り付けられた分岐ブレーカ４４を基台４２の元の位置に取り付け、主幹ブレーカ４３の一次側端子部６９に一次送り線７０の一端を接続し、他端を一次送り具６１の螺子部７１に接続する。
【００２０】
尚、図６では一次送り具６１を右端の分岐ブレーカ４４に取り付けて一次送り回路を形成しているが、一次送り具６１はどの位置の分岐ブレーカ４４にも取り付けが可能である。
【００２１】
また、本実施例において例えば、図１０に示すように一次送り具６１’と一次送り線７０’の接続方法は、本体６２’に電線差し込み穴７１’を形成して電線の差し込み式による接続や半田付けによる接続や他の接続方法でも何ら問題なく、本発明の趣旨を逸脱しない範囲で適宜変更可能である。
【００２２】
【発明の効果】
以上のように本発明に係る住宅用分電盤は、基台上に主幹ブレーカと複数の分岐ブレーカを載置固定し、主幹ブレーカと複数の分岐ブレーカとの間を母線バーと分岐バーと接続端子板と接続板から成る導電バーによって接続し、これらのブレーカを施蓋し、母線バーは中性相母線バーを上段とし、Ｘ相母線バー及びＹ相母線バーを下段に並設し、分岐ブレーカの一方の接続穴に分岐バーを嵌入螺着し、分岐ブレーカの他方の接続穴には接続端子の一端を嵌入螺着し、接続端子の他端には螺孔を設け、接続板の両端を互いに反対方向へ直角に折曲して上板及び下板を形成し、上板及び下板には螺孔を設け、接続端子を位置決め用の接続端子保持部に載置して接続板の下板の螺孔と接続端子の螺孔を一致させた状態で第１止めネジによって螺着し、上段の母線バーには第１切欠を備え、下段の母線バーには母線バーから分岐し立設した分岐バーを設け、上段の母線バーと略同一の高さに第２切欠を備え、接続板の上板を第１止めネジを軸として回動させることにより、第１切欠又は第２切欠に交互に嵌入可能とし、切欠に接続板の上板の螺孔を一致させた状態で第２止めネジにより螺着固定される住宅用分電盤において一次送りするための一次送り具であって、分岐ブレーカの端子面と略面一に形成された上面と、接続端子保持部より上方に形成された下面とを有する絶縁体で形成された本体と、本体に取り付けられるとともに一端に分岐ブレーカの接続穴に嵌入螺着する挿入部と、他端に主幹ブレーカの一次側端子部に接続された一次送り線を接続するための電線接続部とを設けた一対の導体とで形成したことにより、特別な技術を必要とすることなく誰にでも容易に通常の分岐回路を一次送り回路に変更することができるという優れた効果を有する。
【００２３】
また、住宅用分電盤の一次送り具において、本体に中性相母線バーを狭持するための断面略コ字状の狭持溝を形成したことにより、一次送り線の接続部と中性相母線バーとの接触を確実に防止するとともに、一次送り具を中性相母線バーに固定することができるという優れた効果を有する。
【図面の簡単な説明】
【図１】本発明の第一実施例に係る住宅用分電盤を示す正面図である。
【図２】本発明の第一実施例に係る住宅用分電盤の要部を示す正面図である。
【図３】本発明の第一実施例に係る一次送り具を分岐ブレーカに取り付けた状態を示す断面図である。
【図４】本発明の第一実施例に係る一次送り具を住宅用分電盤に取り付けた状態を示す正面図である。
【図５】本発明の第一実施例に係る一次送り具の変形実施例を示す斜視図である。
【図６】本発明の第二実施例に係る住宅用分電盤を示す正面図である。
【図７】本発明の第二実施例に係る住宅用分電盤の要部を示す正面図である。
【図８】本発明の第二実施例に係る一次送り具を分岐ブレーカに取り付けた状態を示す断面図である。
【図９】本発明の第二実施例に係る一次送り具を住宅用分電盤に取り付けた状態を示す正面図である。
【図１０】本発明の第二実施例に係る一次送り具の変形実施例を示す斜視図である。
【図１１】従来の住宅用分電盤を示す正面図である。
【図１２】従来の住宅用分電盤の要部を示す正面図である。
【図１３】従来の住宅用分電盤の接続端子保持部の切断部分を示す正面図である。
【図１４】従来の住宅用分電盤の分岐ブレーカに一次送り線を接続した状態を示す断面図である。
【符号の説明】
１      住宅用分電盤
２      基台
３      主幹ブレーカ
４      分岐ブレーカ
５      Ｘ相母線バー
６      中性相母線バー
７      Ｙ相母線バー
８      分岐バー
９      分岐バー
１０    接続端子
１１    接続板
１７    接続端子保持部
２１    一次送り具
２２    本体
２３    導体
２５    上面
２６    下面
２７    挿入部
２９    一次送り線
３０    螺子部
【図１】
0003725732.tif 000002
【図２】
0003725732.tif 000003
【図３】
0003725732.tif 000004
【図４】
0003725732.tif 000005
【図５】
0003725732.tif 000006
【図６】
0003725732.tif 000007
【図７】
0003725732.tif 000008
【図８】
0003725732.tif 000009
【図９】
0003725732.tif 000010
【図１０】
0003725732.tif 000011
【図１１】
0003725732.tif 000012
【図１２】
0003725732.tif 000013
【図１３】
0003725732.tif 000014
【図１４】
0003725732.tif 000015